(57)【特許請求の範囲】
【請求項１】
電池を駆動源としてテレビ放送電波を受信して出力するテレビ機能を備えた携帯端末装置であって、
電池残量を検出する検出手段と、
現在視聴中の番組の終了時刻までに電力を消費する電池消費量を求め、前記検出手段によって検出された電池残量と比較することにより、前記電池残量を駆動源として現在視聴中のテレビ放送番組をその最後まで視聴可能か否かを判別する判別手段と、
前記判別手段によって最後までの視聴が困難であると判別された場合に、当該放送番組の後に放送予定されている後続番組を、現在視聴中の番組に代わる代替番組として電子番組表から検索する検索手段と、
前記検索手段によって代替番組が検索された場合に、この代替番組の案内情報を出力する案内出力手段と、
前記判別手段によって最後までの視聴が困難であると判別され、かつ前記検索手段によって代替番組が検索されなかった場合に、現在受信している放送番組の出力に代わって当該番組内容を非常用として逐次記録する記録手段と、
前記テレビ機能の駆動源の電力回復に伴って、前記記録手段に非常用として記録されている番組内容を読み出して再生出力する再生手段と、
を具備したことを特徴とするテレビ機能付き携帯端末装置。
【請求項２】
前記判別手段は、現在視聴中のテレビ放送番組をその最後までの視聴が困難であると判別した場合に、更に、前記検出された電池残量が予め決められている許容限度量に達したか否かを判別し、
前記検出された電池残量が前記許容限度量に達するまでの間は現在視聴中のテレビ放送番組を継続して出力させ、この許容限度量に達し、かつ前記検索手段によって代替番組が検索されなかった場合に、当該放送番組内容を非常用として逐次記録する、
ようにしたことを特徴とする請求項１記載のテレビ機能付き携帯端末装置。
【請求項３】
二次電池を充電する充電器に装置本体が接続された際に、前記再生手段は、この充電器からの供給電力を前記テレビ機能の駆動源として、前記非常用の番組内容を読み出して再生出力する、
ようにしたことを特徴とする請求項１記載のテレビ機能付き携帯端末装置。
【請求項４】
現在受信している放送番組を非常用として記録している状態において、前記充電器に装置本体が接続された際に、その記録を継続しながら記録内容を再生出力する、
ようにしたことを特徴とする請求項３記載のテレビ機能付き携帯端末装置。
【請求項５】
前記代替番組は、当該放送番組の再放送番組、ダイジェスト番組、類似番組、関連番組のうち、少なくとも何れか１つの番組である、
ことを特徴とする請求項１に記載のテレビ機能付き携帯端末装置。
【請求項６】
前記代替番組の案内情報は、予約録画を行うか否かを問い合わせる案内情報であり、この問い合わせに対して録画可の応答を受けた場合に、当該代替番組の録画予約を実行する、
ようにしたことを特徴とする請求項１記載のテレビ機能付き携帯端末装置。
【請求項７】
前記代替番組の案内情報は、この番組の視聴を促す案内情報であり、前記案内出力手段は、当該代替番組の放送が開始される前に、その番組の視聴を促す案内を出力する、
ようにしたことを特徴とする請求項１記載のテレビ機能付き携帯端末装置。
【請求項８】
コンピュータに、
テレビ受信手段に対して、電池を駆動源としてテレビ放送電波を受信させる機能と、
出力手段に対して、受信したテレビ放送番組を出力させる機能と、
電池残量を検出して、現在視聴中の番組の終了時刻までに電力を消費する電池消費量を求めて、前記電池残量と前記電池消費量を比較することにより、前記現在視聴中のテレビ放送番組をその最後まで視聴可能か否かを判別する機能と、
現在視聴中のテレビ放送番組をその最後までの視聴が困難であると判別した場合に、当該放送番組の後に放送予定されている後続番組を、現在視聴中の番組に代わる代替番組として電子番組表から検索する機能と、
前記代替番組が検索された場合に、この代替番組の案内情報を出力手段に出力させる機能と、
現在視聴中のテレビ放送番組をその最後までの視聴が困難であると判別し、かつ前記検索手段によって代替番組が検索されなかった場合に、現在受信している放送番組の出力に代わって当該番組内容を非常用として記録手段に逐次記録させる機能と、
テレビ機能の駆動源の電力回復に伴って、前記非常用として記録されている番組内容を再生手段に再生させる機能と、
を実現させるためのプログラム。
【発明の詳細な説明】
【技術分野】
【０００１】
この発明は、電池を駆動源としてテレビ放送電波を受信して出力するテレビ機能付き携帯端末装置及びプログラムに関する。
【背景技術】
【０００２】
近年、テレビ放送を受信して希望するチャンネルの番組を視聴可能なテレビ機能を備えた携帯端末装置が普及し始めている。このテレビ機能付き携帯端末装置では、二次電池を駆動源としてテレビ放送電波を受信して出力するようにしているが、液晶画面を照明するバックライトの点灯など、テレビ映像及び音声出力には、高電力を消費するために視聴途中での電池切れが問題となる。
そこで、従来では、例えば、テレビ視聴中にバッテリ残量の低下を検出し、残量低下に伴って省電力制御を実行するが、その際、残量レベルに応じて映像／音声出力を段階的に抑制し、最終レベルに達した際にそのテレビ放送の録画を開始するようにした技術が知られている（特許文献１参照）。
【特許文献１】特開２００３−２７４３１３号公報
【発明の開示】
【発明が解決しようとする課題】
【０００３】
しかしながら、上述の特許文献にあっては、番組の放送時間が長い場合、バッテリ残量の低下を検出してから録画を開始したとしても、その番組内容を全て録画できるとは限らず、結果としてその一部を見落としてしまう可能性がある。これは、バッテリをフル充電した状態で番組視聴を開始した場合でも同様の問題が起きる。また、上述の特許文献にあっては、番組終了までの放送時間を考慮し、番組終了までの放送時間が所定時間（例えば、１時間）を超える場合、省電力制御を行うことによって視聴可能時間を極力引き延ばすことができるが、液晶画面を照明するバックライトを低電力駆動すると、画面内容が見づらくなり、また、放送時間の長さによっては、省電力制御を行ったとしても、上述の場合と同様に、その番組内容を全て録画できるとは限らず、結果としてその一部を見落としてしまう可能性がある。
【０００４】
この発明の課題は、テレビ放送電波を受信して出力するテレビ機能を備えた携帯端末装置であって、携帯端末の特質などによって放送番組の受信中に困難な状況が発生したとしても、それに適切に対応することができ、所望する内容の見落としを効果的に防止できるようにすることである。
【課題を解決するための手段】
【０００５】
請求項１記載の発明は、電池を駆動源としてテレビ放送電波を受信して出力するテレビ機能を備えた携帯端末装置であって、電池残量を検出する検出手段と、現在視聴中の番組の終了時刻までに電力を消費する電池消費量を求め、前記検出手段によって検出された電池残量と比較することにより、前記電池残量を駆動源として現在視聴中のテレビ放送番組をその最後まで視聴可能か否かを判別する判別手段と、前記判別手段によって最後までの視聴が困難であると判別された場合に、当該放送番組の後に放送予定されている後続番組を、現在視聴中の番組に代わる代替番組として電子番組表から検索する検索手段と、前記検索手段によって代替番組が検索された場合に、この代替番組の案内情報を出力する案内出力手段と、前記判別手段によって最後までの視聴が困難であると判別され、かつ前記検索手段によって代替番組が検索されなかった場合に、現在受信している放送番組の出力に代わって当該番組内容を非常用として逐次記録する記録手段と、前記テレビ機能の駆動源の電力回復に伴って、前記記録手段に非常用として記録されている番組内容を読み出して再生出力する再生手段とを具備したことを特徴とする。
更に、コンピュータに対して、上述した請求項１記載の発明に示した主要機能を実現させるためのプログラムを提供する（請求項８記載の発明）。
なお、「代替番組」とは、当該放送番組の再放送番組、ダイジェスト番組、類似番組、関連番組のうち、少なくとも何れか１つの番組である（請求項５記載の発明）。例えば、数日遅れあるいは深夜に再放送される番組のほか、後に放送されるスポーツダイジェスト番組、スポーツニュース番組、同一の歌手（俳優）などが登場する番組、他局で異なる時間帯に放送される同一内容あるいは類似する内容の番組などである。
また、「テレビ機能の駆動源の電力回復」とは、二次電池に充電されたり、新たな電池に交換されたり、交流電源に接続されたり、電池パックが補充されたりすることによってテレビ機能の駆動源の電力が回復した場合を意味している。
【０００６】
なお、請求項１記載の発明は次ぎのようなものであってもよい。
前記判別手段は、現在視聴中のテレビ放送番組をその最後までの視聴が困難であると判別した場合に、更に、前記検出された電池残量が予め決められている許容限度量に達したか否かを判別し、前記検出された電池残量が前記許容限度量に達するまでの間は現在視聴中のテレビ放送番組を継続して出力させ、この許容限度量に達し、かつ前記検索手段によって代替番組が検索されなかった場合に、当該放送番組内容を非常用として逐次記録する（請求項２記載の発明）。
【０００７】
二次電池を充電する充電器に装置本体が接続された際に、前記再生手段は、この充電器からの供給電力を前記テレビ機能の駆動源として、前記非常用の番組内容を読み出して再生出力する（請求項３記載の発明）。
この場合、現在受信している放送番組を非常用として記録している状態において、前記充電器に装置本体が接続された際に、その記録を継続しながら記録内容を再生出力するようにしてもよい（請求項４記載の発明）。
【００１０】
前記代替番組の案内情報は、予約録画を行うか否かを問い合わせる案内情報であり、この問い合わせに対して録画可の応答を受けた場合に、当該代替番組の録画予約を実行する（請求項６記載の発明）。
前記代替番組の案内情報は、この番組の視聴を促す案内情報であり、前記案内出力手段は、当該代替番組の放送が開始される前に、その番組の視聴を促す案内を出力する（請求項７記載の発明）。
【発明の効果】
【００１４】
請求項１記載の発明によれば、検出された電池残量を駆動源として現在視聴中のテレビ放送番組をその最後まで視聴可能か否かを判別し、最後までの視聴が困難である場合に、後続番組を現在視聴中の番組に代わる代替番組として電子番組表から検索し、前記検索手段によって代替番組が検索された場合に、この代替番組の案内情報を出力するとともに、現在受信している放送番組の出力に代わって当該番組内容を非常用として逐次記録し、テレビ機能の駆動源の電力回復に伴って、非常用として記録されている番組内容を読み出して再生出力するようにしたから、電池残量の低下に伴って現在視聴中の放送番組の出力を停止したとしても、その後の電力回復時に出力停止以降の放送番組を引き続き視聴することができ、番組内容の見落としを効果的に防止することができる。
【００１５】
請求項２記載の発明によれば、上述した請求項１記載の発明と同様の効果を有するほか、現在視聴中の放送番組をその最後まで視聴することが困難となった場合に、電池残量が予め決められている許容限度量に達したか否かを判別し、電池残量が許容限度量に達するまでの間は現在視聴中の放送番組を継続して出力させ、この許容限度量に達した際には当該放送番組内容を非常用として逐次記録するようにしたから、電池残量が低下しても、電池残量が許容限度量に達するまでの間は、その番組内容の継続して視聴することが可能となる。この場合、電池の性能及び容量などにもよるが、例えば、テレビ放送を連続して１５分間視聴可能な電池残量を許容限度量とすれば、現在視聴中の放送が２時間番組であり、現時点の電池残量では番組終了の３０分前までしか視聴することができない場合に、その許容限度量分の１５分間を残すと、継続視聴が可能な最長時間は、その終了４５分（３０分＋１５分＝４５分）前の１時間１５分となる。つまり、電池残量の低下によって現在視聴中の放送番組をその最後まで視聴することが困難となっても、１時間１５分間はその継続視聴が可能となる。この場合、非常用としての番組記録は、番組終了の４５分前に達した際に開始される。
【００１６】
請求項３記載の発明によれば、上述した請求項１記載の発明と同様の効果を有するほか、二次電池を充電する充電器に装置本体が接続された際に、この充電器からの供給電力をテレビ機能の駆動源として、非常用の番組内容を読み出して再生出力するようにしたから、装置本体を充電器に接続させるという簡単な操作で、番組内容の再生出力を開始させることができる。
この場合、現在受信している放送番組を非常用として記録している状態において、充電器に装置本体が接続された際に、その記録を継続しながら記録内容を再生出力するようにしたから（請求項４記載の発明）、放送番組を記録しながらその番組内容を再生することができ、所謂、追っかけ再生（タイムシフト再生）が可能となる。
【００２１】
請求項６記載の発明によれば、上述した請求項１記載の発明と同様の効果を有するほか、代替番組の予約録画を行うか否かを問い合わせる案内情報を出力し、この問い合わせに対して録画可の応答を受けた場合に、当該代替番組の録画予約を実行するようにしたから、視聴者の意思を反映させることができる。
【００２２】
請求項７記載の発明によれば、上述した請求項１記載の発明と同様の効果を有するほか、代替番組の放送が開始される前に、代替番組の視聴を促す案内情報を出力してその番組の視聴を促すようにしたから、代替番組の見逃しを防ぐことができる。
【発明を実施するための最良の形態】
【００２７】
（実施例１）
以下、図１〜図９を参照して本発明の第１実施例を説明する。
この実施例は、携帯端末装置として携帯電話装置に適用した場合を例示したもので、図１は、この携帯電話装置の基本的な構成要素を示したブロック図である。
この携帯電話装置は、２つの筐体（上部筐体、下部筐体）が開閉可能に取り付けられた折り畳み自在なもので、二次電池を主電源として駆動され、通話機能、電子メール機能、インターネット接続機能などのほか、テレビ放送電波を受信して出力するテレビ機能（テレビジョン放送受信出力機能）を備えている。
【００２８】
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図３〜図７に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２９】
電話通信部５は、アンテナ６に接続された送受信デュプレクサの受信側から信号を取り込んで受信ベースバンド信号に復調した後に、音声データを音声スピーカ７から出力させる。また、電話通信部５は、音声マイク８から入力された音声データを送信ベースバンド信号に符号化した後に、送受信デュプレクサの送信側に与えられ、アンテナ６から発信出力させる。一方、電子メール機能、インターネット接続によって電話通信部５を介して受信した表示データは、ＬＣＤ（液晶表示器）などのメイン表示部９に与えられて表示出力される。メイン表示部９は、文字情報、テレビ映像、各種のメッセージなどを高品位に表示するもので、図２は、折り畳み式の装置本体を開いた状態において、メイン表示部９にテレビ映像が表示されたテレビ画面の表示例を示している。このメイン表示部９のほか、装置本体の背面部にはサブ表示部１０が設けられており、現在日時、簡易なメッセージ、アイコンなどが表示される。
【００３０】
テレビ受信部１１は、ＴＶアンテナ１２を備え、例えば、携帯電話などの携帯受信機向けの地上波デジタルテレビ放送を受信するもので、テレビ映像及び音声情報以外にも電子番組表(ＥＰＧ)なども含めて受信可能である。そして、テレビ受信部１１は、専用ＣＰＵ、ＴＶアンテナ１２に接続されている受信部、受信したテレビ放送を映像信号と音声信号に分離する増幅分離部、圧縮データを解凍するデコード部などを有する構成となっており、このテレビ受信部１１から出力されたテレビ映像信号は、メイン表示部９から表示出力され、また、テレビ音声信号は、内蔵スピーカ１３あるいはイヤホーン１４から出力される。なお、電子番組表は、テレビ受信部１１を介して受信取得する場合に限らず、インターネットを介して受信取得してもよく、更には記録メディア３を介して取得するようにしてもよく、どのようにして取得するかは任意である。
【００３１】
キー操作部１５は、押しボタン式の各種のキーを備え、ダイヤル入力、文字入力、コマンド入力などを行うもので、テレビ機能用として、テレビＯＮ／ＯＦＦキー、チャンネル切り替えキー、テレビ放送の録画（録音を含む）を指示する録画キー、録画再生の一時停止を指示する一時停止キー、録画再生を終了させる録画中止キー、音声ボリューム調整キーなどを有し、ＣＰＵ１は、キー操作部１５からのキー入力信号に応じた処理を実行する。ここで、テレビ放送番組の録画とは、映像情報の録画に限らず、それに付加されている音声情報の録音を含むことを意味しているが、大容量の半導体メモリあるいは小型ハードディスクなどによって構成された録画用の記録メディア３が外部接続された際に、この記録メディア３に対して行うようにしている。なお、テレビ放送番組の内容を内蔵メモリに録画するようにしてもよい。
【００３２】
報知部１６は、上述した内蔵スピーカ１３を含めて、ＬＥＤ(発光ダイオード)、振動モータを有する構成で、電話・メール着信時には着信報知を行うもので、警告アラームなどの報知時にも駆動される。電源部１７は、二次電池１８、充放電制御部１９などを有する構成となっている。二次電池１８は、この携帯電話全体を駆動する主駆動源であり、例えば、ニッカド電池、ニッケル水素電池、リチウム・イオン電池などによって構成され、交流電源にケーブル接続される充電機能付きのクレードルスタンド（充電台）２１に装置本体が載置（接続）された際に、交流電源からの電力供給を受けて二次電池１８への充電が行われる。
【００３３】
この場合、二次電池１８に代わってクレードルスタンド２１から供給される外部電力が携帯電話装置全体の駆動源となり、外部電源（交流電源）からの供給電力でテレビ機能などが駆動される。すなわち、テレビ放送電波を受信して出力するテレビ機能は、二次電池１８を駆動源として動作しているが、クレードルスタンド２１に接続された際には、外部供給された電力を駆動源として動作する。なお、充電機能付きのクレードルスタンド２１は、例えば、メタノール燃料を使用したダイレクトメタノール型の燃料電池を備え、この燃料電池によって発電された電力で二次電池１８を充電するようにしてもよい。
【００３４】
充放電制御部１９は、クレードルスタンド２１に装置本体が接続された際に、交流電源からの電力供給を受けて二次電池１８への充電を行うと共に、その充電電流に基づいて充電量の管理を行う。この充放電制御部１９を介して携帯電話装置全体に対する電力供給が行われ、充放電制御部１９は、放電電流に基づいて二次電池１８の放電量を管理する。この充放電量に基づいて充放電制御部１９は、二次電池１８の現在の電池残量を検出する。ＣＰＵ１は、テレビ放送番組の受信中に一定のタイミングで電池残量を監視し、現在視聴中のテレビ放送番組をその最後まで視聴可能か否かを判別し、最後までの視聴が困難な場合に、現在受信している放送番組の出力に代わって当該番組内容を非常用として逐次録画するようにしている。その後、ＣＰＵ１は、装置本体がクレードルスタンド２１に接続されることによる電力回復に伴って、非常用として録画した番組内容を読み出して再生出力するようにしている。
【００３５】
次ぎに、この第１実施例における携帯電話装置の動作概念を図３〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３６】
図３及び図４は、電源投入に伴って実行開始される携帯電話装置の全体動作の概要を示したフローチャートである。
先ず、ＣＰＵ２１は、待ち受け状態において所定の待ち受け画像を読み出して表示出力させると共に（ステップＡ１）、電話あるいはメールの着信有無をチェックし(ステップＡ２)、電話着信あるいはメール着信を検出すると、着信報知などの着信対応処理を実行する(ステップＡ３)。また、着信無しが検出されると、テレビ機能の起動開始が指示されたか、あるいは起動中かをチェックする（ステップＡ４）。いま、テレビＯＮ操作によってテレビ機能の起動開始が指示されたり、テレビ機能が起動中であれば、ＴＶ処理の実行に移る（ステップＡ５）。
【００３７】
図５〜図７は、ＴＶ処理（図３のステップＡ５）を詳述するためのフローチャートであり、ユーザ操作によってテレビ機能の起動開始が指示されてからテレビ機能が起動されている間、このＴＶ処理は実行される。
先ず、ＣＰＵ１は、テレビ機能の起動開始が指示されたか、テレビ機能が起動中かを判別し（ステップＢ１）、起動開始が指示された場合には、メイン表示部９にＴＶ画面を表示させた後、チャンネル選択用のキーの操作によって所望するチャンネルが選択指定されると（ステップＢ２）、テレビ受信部１１から指定チャンネルの放送番組の内容を受信し、この番組内容の出力（映像表示・音声出力）を開始させる（ステップＢ３）。そして、ＣＰＵ１は、事前取得あるいは今回取得した電子番組表（ＥＰＧ）を検索して現在出力中（視聴中）の放送番組を特定し（ステップＢ４）、この番組の終了時刻を取得する（ステップＢ５）。
【００３８】
図８は、電子番組表（ＥＰＧ）２０の内容を例示したもので、この電子番組表２０には各チャンネル（放送局）毎に、各番組の「開始時刻」、「タイトル」、「コメント」などが掲載されている。
ＣＰＵ１は、電子番組表２０を検索し、現在の放送番組を特定し、この番組の同一のチャンネルで、次ぎの番組として組み込まれている放送番組の「開始時刻」を読み出し、この「開始時刻」に基づいて現在視聴中の番組の終了時刻を求める。そして、ステップＢ６に移り、チャンネル変更操作の有無をチェックし、チャンネル変更が指示された場合には、ステップＢ２に戻る。
【００３９】
ここで、チャンネル変更が指示されなければ（ステップＢ６でＮＯ）、割り込みタイミングになったかをチェックする（ステップＢ７）。この割り込みタイミングは、テレビ放送受信中に、二次電池１８の電池残量を一定時間（例えば、１０秒間隔）毎に割り込み処理によって監視するための監視タイミングを示し、割り込みタイミングでなければ、テレビ受信出力を終了させるテレビＯＦＦ操作が行われたかをチェックし（ステップＢ８）、終了操作が行われた場合には、現在視聴中のテレビ放送の受信及び出力を停止した後に（ステップＢ９）、図３のステップＡ１に戻るが、終了操作が行われなければ、現在のテレビ放送を継続して視聴可能な状態を維持したのまま図３のステップＡ１に戻る。
【００４０】
このようにしてテレビ機能の起動開始が指示され、所望する放送番組を受信出力している状態において、このＴＶ処理に入ると、ステップＢ１では、テレビ機能の起動中であることが検出されてステップＢ６に移り、チャンネル変更指示の有無をチェックする。いま、割り込みタイミングとなったことが検出されると（ステップＢ７でＹＥＳ）、「割り込みフラグ」の“ＯＮ／ＯＦＦ”状態をチェックする（ステップＢ１０）。この「割り込みフラグ」は、テレビ放送受信中に電池残量を監視する処理を実行するか否かを示し、テレビ放送の受信開始時あるいはチャンネル変更時に“ＯＮ”され、視聴者から電池残量の監視が不用である旨の指示を受けた際に“ＯＦＦ”されるもので、「割り込みフラグ」が“ＯＦＦ”されていれば（ステップＢ１０でＮＯ）、上述のステップＢ８に移る。
【００４１】
最初、「割り込みフラグ」は、“ＯＮ”されているので、充放電制御部１９から二次電池残量を取得し（ステップＢ１１）、電池残量は、ニア・エンド（電池切れ間近）かを調べる（ステップＢ１２）。なお、電池切れ間近とは、例えば、テレビ放送の連続視聴時間が１０分程度の場合であり、電池切れ間近でなければ、現在視聴中の番組の終了時刻までに電力を消費する電池消費量を算出する（ステップＢ１３）。すなわち、ＣＰＵ１は、現在時刻を取得し、番組終了時刻から現在時刻を減算して番組終了までの放送時間を求めると共に、予め設定されている単位時間当たりの電池消費量を参照することによって番組終了までに要する電池消費量を算出する。
【００４２】
単位時間当たりの電池消費量は、テレビ放送を所定時間（例えば、１０秒間）連続して受信出力した場合に、テレビ受信・映像表示・音声出力などに要した合計消費量の測定平均値である。そして、充放電制御部１９から取得した現在の電池残量と番組終了までに要する電池消費量とを比較することによって現在視聴中のテレビ放送番組をその最後まで視聴可能か否かを判別する（ステップＢ１４）。この結果、電池消費量≦現在の電池残量であれば、放送番組をその最後まで視聴可能であると判定するが、電池消費量が電池残量を超える場合には、放送番組をその最後まで視聴不可能であると判定する。
【００４３】
なお、現在視聴中のテレビ放送番組をその最後まで視聴可能か否かを判別するために、上述のように番組終了までに消費される電池消費量を算出するようにしたが、現在の電池残量での視聴可能時間を算出するようにしてもよい。例えば、充放電制御部１９から直前１０秒間の放電電流の平均値ｉを取得すると共に、充放電制御部１９から現在の電池残量（ミリアンペア時の残量）ｃを取得し、電池残量ｃ／平均電流値ｉの計算を行って現在の電池残量での視聴可能時間（１０秒単位の時間）ｔ１を算出する。そして、この視聴可能時間ｔ１と、上述のようにして算出した番組終了までの放送時間ｔ２とを比較することによって放送番組の最後まで視聴可能か否かを判別するようにしてもよい。ここで、ｔ２≦ｔ１であれば、放送番組をその最後まで視聴可能であると判定することができる。
【００４４】
このようにして放送番組の最後まで視聴可能か否かを判定した結果、最後までの視聴が可能であれば（ステップＢ１４でＮＯ）、現在の放送番組を引き続いて視聴可能な状態を維持したまま図３のステップＡ１に戻るが、最後までの視聴が不可能と判定された場合には（ステップＢ１４でＹＥＳ）、電池残量が予め決められている許容限度量に達したか否かを判別する（ステップＢ１５）。すなわち、電池の性能及び容量などにもよるが、例えば、テレビ放送を連続して１５分間視聴可能な電池残量を許容限度量とすれば、現在視聴中のテレビ放送が２時間番組であり、現時点の電池残量では番組終了の３０分前までしか視聴することができない場合に、その許容限度量分の１５分間を残し、その終了４５分（３０分＋１５分＝４５分）前の１時間１５分間の継続視聴を可能とするために電池残量は許容限度量以下になったかを判別する。
【００４５】
ここで、電池残量に余裕があって電池残量が許容限度量よりも大きければ（ステップＢ１５でＮＯ）、現在の放送番組を引き続いて視聴可能とするために図３のステップＡ１に戻るが、電池残量では現在の放送番組をその最後まで視聴不可能であり、かつ電池残量がその許容限度量以下の場合（ステップＢ１５でＹＥＳ）あるいは電池切れ間近の場合には（ステップＢ１２でＹＥＳ）、図６のステップＢ１６に移り、ＣＰＵ１は、上述した電子番組表２０内の「タイトル」、「コメント」欄を参照し、現在視聴中の放送番組の代替としてその再放送番組を検索する。すなわち、現在視聴中の放送番組の後に放送予定されている後続番組として、同一チャンネルか否かに拘らず、例えば、数日遅れあるいはその日の深夜に再放送される番組を検索する。
【００４６】
この結果、所定期間内に該当する再放送番組が存在していなければ（ステップＢ１７でＮＯ）、メッセージ画面を表示出力させる（ステップＢ１８）。図９は、現在視聴中の番組をその最後まで視聴できない代わりに当該番組内容を録画するかをＹＥＳ／ＮＯ形式で問い合わせるためのメッセージ画面を示している。このメッセージ画面は、「１：録画する（ＹＥＳ）」、「２：無視（ＮＯ）」の選択項目が表示され、「２：無視」が選択された場合には（ステップＢ１９でＮＯ）、上述した「割り込みフラグ」をリセット（ＯＦＦ）した後、（ステップＢ２７）、現在視聴中の放送番組の受信及び出力を停止して（ステップＡ２８）、ＴＶ処理を終了させる。また、「１：録画する」が選択された場合には（ステップＢ１９でＹＥＳ）、放送番組の受信を継続しながらその映像出力及び音声出力を停止すると共に（ステップＢ２０）、現在受信中の放送番組を非常用として録画する動作を開始する（ステップＢ２１）。この場合、非常録画中である状態を示すために「非常録画フラグ」をセット（ＯＮ）しておく（ステップＢ２２）。
【００４７】
このように映像・音声出力を停止した放送番組の内容を記録メディア３などに録画ファイルとして非常録画している状態において、ＣＰＵ１は、この番組の終了時刻になったか否か（ステップＢ２３）、あるいは録画停止がユーザ指示されたか否かをチェックし（ステップＢ２４）、このステップＢ２２、Ｂ２３の何れでも「ＮＯ」と判断された場合には、放送番組の受信を継続しながらＴＶ処理を終了させるが、その何れかで「ＹＥＳ」と判断された場合には、放送番組の受信を停止すると共に（ステップＢ２５）、非常録画を停止し、かつ録画ファイルをクローズした後に（ステップＢ２６）、ＴＶ処理を終了させる。
【００４８】
一方、電子番組表２０を検索した結果（ステップＢ１６）、現在視聴中の放送番組の代替となる後続の番組として、その再放送番組を検索することができた場合には（ステップＢ１７でＹＥＳ）、図７のステップＢ２９に移り、メッセージ画面を表示出力させ、再放送番組の録画予約あるいは視聴予約の問い合わせを行う。例えば、図８に例示した電子番組表２０では、現在視聴中の放送番組が「ＣＨ１：２０時００分：新撰組第２０回」であるとすると、その再放送番組は「ＣＨ２０９：２３時００分：新撰組第２０回」が存在するため、メッセージ画面を表示出力させる。このメッセージ画面には、「１：再放送番組の録画予約」、「２：再放送番組の視聴予約」、「３：録画／視聴予約の無視」の選択項目が表示されるほか、再放送日時が案内表示される。なお、視聴予約とは、再放送番組が開始される直前に、ユーザに対してその番組の視聴を促す報知を行うための予約である。
【００４９】
このメッセージ画面の中から「１：再放送番組の録画予約」が選択された場合（ステップＢ３０でＹＥＳ）、ＣＰＵ１は、再放送番組の開始日時、チャンネル番号などに基づいてその番組の録画予約を行うと共に（ステップＢ３１）、録画予約済みであることを示す「再放送録画予約フラグ」をセット（ＯＮ）しておく（ステップＢ３２）。また、「２：再放送番組の視聴予約」が選択された場合（ステップＢ３３でＹＥＳ）、ＣＰＵ１は、再放送番組の開始日時、チャンネル番号などに基づいてその視聴予約を行うと共に（ステップＢ３４）、視聴予約済みであることを示す「再放送視聴予約フラグ」をセットしておく（ステップＢ３５）。その後、図６のステップＢ２７に移り、「割り込みフラグ」をリセットした後、放送番組の受信出力を停止して（ステップＢ２８）、ＴＶ処理を終了させる。なお、「３：録画／視聴予約の無視」が選択された場合にも（ステップＢ３３でＮＯ）、「割り込みフラグ」をリセットすると共に（ステップＢ２７）、放送番組の受信出力を停止する処理（ステップＢ２８）を行った後にＴＶ処理の終了となる。
【００５０】
他方、上述したＴＶ処理（図３のステップＡ５）が終了している状態では、ステップＡ４でＮＯと判断されるため、ステップＡ６に移る。この場合、装置本体がクレードルスタンド（充電台）２１に載置（接続）され、かつ、上述の「非常録画フラグ」がセットされている場合には（ステップＡ７）、現在、再生出力中ではないことを条件に（ステップＡ８）、非常用として録画した放送番組を再生出力するために最新の録画ファイルを指定し（ステップＡ９）、この録画ファイルから映像・音声を読み出して再生出力させる（ステップＡ１０）。この場合、現在受信中の放送番組を非常用として録画している状態において、クレードルスタンド２１に接続された場合でも、その録画を継続しながらその内容を再生出力することができる。ここで、番組の最後まで再生し終わった場合あるいはユーザ操作によって再生終了が指示された場合には（ステップＡ１１でＹＥＳ）、再生動作を停止させて「非常録画フラグ」をリセットする（ステップＡ１２）。
【００５１】
また、上述のステップＡ６あるいはステップＡ７でＮＯと判断された場合には、図４のステップＡ１３に移り、テレビ録画予約／視聴予約がある場合にその予約日時になった際のタイマ割り込みによってテレビ機能が自動起動されたかをチェックする。いま、録画予約日時あるいは視聴予約日時となり、テレビ機能がタイマ起動された場合には、予約チャンネルを選局した後（ステップＡ１４）、「再放送録画予約フラグ」がセットされているか（ステップＡ１５）、「再放送視聴予約フラグ」がセットされているかをチェックする（ステップＡ１８）。いま、「再放送録画予約フラグ」がセットされていれば、予約されている再放送番組の録画を開始した後（ステップＡ１６）、「再放送録画予約フラグ」をリセットしておく（ステップＡ１７）。
【００５２】
また、「再放送視聴予約フラグ」がセットされていれば（ステップＡ１８）、予約されている再放送番組が始まることをメッセージ表示、アラーム音などによってユーザに報知する（ステップＡ１９）。この場合、アラーム音に代わってバイブレーション報知するようにしてもよい。このように再放送番組の視聴を促す報知を行った後は、「再放送視聴予約フラグ」をリセットしておく（ステップＡ２０）。なお、ユーザ操作によって任意の番組の録画予約が指定されている場合には（ステップＡ１５、Ａ１８でＮＯ）、その予約番組の録画を開始する（ステップＡ２１）。
【００５３】
このようにしてタイマ起動によって予約番組の録画開始／視聴報知を行った後は、その予約番組の終了時刻となったかをチェックし（ステップＡ２２でＹＥＳ）、予約番組の終了時刻であれば、テレビ受信録画／受信出力を停止させる（ステップＡ２３）。なお、何らかのキー操作が行われた場合には（ステップＡ２４）、その操作キーに応じて操作対応処理（例えば、ユーザ操作による録画停止、テレビ出力／再生の停止あるいはメール作成など）を実行する（ステップＡ２５）。その後、最初のステップＡ１に戻る。
【００５４】
以上のように、この第１実施例においてＣＰＵ１は、二次電池１８の電池残量との関係において現在視聴中のテレビ放送番組をその最後まで視聴することが困難に場合に、この放送番組の出力に代わって当該番組内容を非常用として逐次録画しておき、クレードルスタンド２１への接続時に、非常用として録画されている番組内容を再生出力するようにしたから、電池残量の低下に伴って現在視聴中の放送番組の出力を停止したとしても、その後の電力回復時に出力停止以降の放送番組を引き続き視聴することができ、番組内容の見落としを効果的に防止することができる。この場合、装置本体をクレードルスタンド２１に接続させるという簡単な操作で再生出力を開始させることができる。また、現在受信中の放送番組を非常用として録画している状態において、クレードルスタンド２１に接続された場合でも、その録画を継続しながらその内容を再生出力するようにしたから、所謂、追っかけ再生（タイムシフト再生）が可能となる。
【００５５】
ＣＰＵ１は、電池残量の低下に伴って現在視聴中の放送番組をその最後まで視聴することが困難な場合に、電池残量が予め決められている許容限度量に達したか否かを判別し、電池残量が許容限度量に達するまでの間は現在視聴中の放送番組を継続して出力させ、この許容限度量に達した際には当該放送番組内容を非常用として逐次録画するようにしたから、電池残量が低下しても、電池残量が許容限度量に達するまでの間は、その番組内容の継続して視聴することが可能となる。
【００５６】
また、ＣＰＵ１は、電池残量の低下に伴って現在視聴中の放送番組の視聴が困難な場合に、この放送番組の後に放送予定されている再放送番組を電子番組表２０から検索し、再放送番組があれば、この番組を案内出力するようにしたから、現在視聴中の放送番組の視聴が困難であっても、その再放送番組の存在を知らせることができ、視聴者に安心感を与えることが可能となる。この場合、「再放送番組の録画予約」、「再放送番組の視聴予約」を案内することができ、視聴者の意思を反映させることが可能となる。
【００５７】
なお、上述した第１実施例においては、二次電池１８の電池残量が低下し、この電池残量では現在の放送番組をその最後まで視聴不可能であってその許容限度量以下の場合、あるいは電池切れ間近の場合に、この番組内容を非常用として録画するようにしたが、テレビ放送電波の受信状況の良否を判別し、受信不良であると判別された場合に、現在の番組内容を非常用として録画するようにしてもよい。この際、どの程度の受信不良であれば、非常録画を行うかをユーザが任意に設定可能としてもよい。
【００５８】
また、上述した第１実施例においては、電池残量の低下によって放送番組の最後まで視聴困難であっても、電池残量が許容限度量に達するまでの間は、その番組内容の継続して視聴するようにしたが、この場合、現時点から継続視聴が可能な時間を算出して案内表示するようにしてもよい。
また、上述した第１実施例においては、クレードルスタンド２１に接続した際（交流電源接続時）に、非常用として録画されている番組内容を再生出力するようにしたが、二次電池１８が充電されたり、新たな電池に交換されたり、電池パックが補充されたときに、録画番組を再生出力するようにしてもよい。
【００５９】
また、上述した第１実施例においては、電池残量の低下に伴って現在視聴中の放送番組の視聴が困難な場合に、この放送番組の後に放送予定されている再放送番組を案内出力するようにしたが、再放送番組に限らず、ダイジェスト番組、類似番組、関連番組を現在視聴中の番組に代わる代替番組として電子番組表２０から検索して案内するようにしてもよい。この場合、電子番組表２０の「タイトル」、「コメント」欄を参照し、スポーツダイジェスト番組、スポーツニュース番組、同一の歌手（俳優）などが登場する番組、他局で異なる時間帯に放送される同一内容あるいは類似する内容の番組を検索して案内すればよい。
【００６０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、電池を駆動源としてテレビ放送電波を受信して出力する機能、検出された電池残量を駆動源として現在視聴中のテレビ放送番組をその最後まで視聴可能か否かを判別する機能と、現在視聴中のテレビ放送番組をその最後までの視聴が困難であると判別された場合に、現在受信している放送番組の出力に代わって当該番組内容を非常用として逐次記録する機能と、テレビ機能の駆動源の電力回復に伴って、前記非常用として記録されている番組内容を読み出して再生出力する機能とを実現させるためのプログラムを記録したコンピュータが読み取り可能な記録媒体を提供するようにしてもよい。
【００６１】
また、コンピュータが読み取り可能なプログラムコードを有する記録媒体であって、電池を駆動源としてテレビ放送電波を受信して出力する機能、テレビ放送の受信出力中に、現在視聴中のテレビ放送番組の受信出力が困難な状況にあるか否かを判別する機能と、
放送番組の受信出力が困難な状況にあることが判別された場合に、当該放送番組の後に放送予定の後続番組として、その再放送番組、ダイジェスト番組、類似番組、関連番組のうち、少なくともその何れかの番組を現在視聴中の番組に代わる代替番組として電子番組表から検索する機能と、代替番組が検索された場合に、この代替番組の案内情報を出力する機能とを実現させるためのプログラムを記録したコンピュータが読み取り可能な記録媒体を提供するようにしてもよい。
（実施例２）
【００６２】
以下、この発明の第２実施例について図１０〜図１３を参照して説明する。
なお、上述した第１実施例においては、二次電池１８の電池残量との関係において現在視聴中の放送番組をその最後まで視聴することが困難に場合に、この放送番組の再放送番組があれば、この再放送番組の録画予約を行うようにしたが、この第２実施例においては、現在録画中の放送番組に対してその録画を中断する際に、その再放送番組があれば、この再放送番組の録画予約を行うようにしたものである。
ここで、両実施例において基本的あるいは名称的に同一のものは、同一符号を付して示し、その説明を省略すると共に、以下、第２実施例の特徴部分を中心に説明するものとする。
【００６３】
図１０及び図１１は、テレビ録画予約がある場合にその予約日時になった際のタイマ割り込みによってテレビ機能が自動起動された場合に実行開始される予約録画処理を示したフローチャートである。
先ず、ＣＰＵ１は、予約日時に到達した録画予約情報をアクセスして、この予約チャンネルを選局した後（ステップＣ１）、このチャンネルで放送されている番組の受信録画を開始する（ステップＣ２）。そして、この放送番組の終了時刻になったか（ステップＣ３）、二次電池１８の残量が低下したか、つまり、ニア・エンド（電池切れ間近）か（ステップＣ４）、ユーザ操作によって録画停止が指示されたかを調べる（ステップＣ５）。
【００６４】
ここで、録画中に電池切れ間近が検出されると（ステップＣ４でＹＥＳ）、電子番組表２０を参照し、現在録画中の番組に対する再放送番組を検索し（ステップＣ１０）、再放送番組が存在していなければ、現在の録画動作を終了させると共に録画ファイルをクローズするが（ステップＣ１５）、再放送番組が検索された場合には、メッセージ画面を表示出力させる（ステップＣ１２）。図１２は、電池切れ間近のために番組終了まで録画することができず、その代わりとして再放送番組を録画するか否かを問い合わせるメッセージ画面である。ここで、「録画する（ＹＥＳ）」が選択された場合には（ステップＣ１３）、再放送番組をその開始から終了まで全て録画するための予約（まるごと予約）を行った後（ステップＣ１４）、現在の録画動作を終了させると共に録画ファイルをクローズする（ステップＣ１５）。
【００６５】
また、録画中にユーザ操作によって録画停止が指示されると（ステップＣ５でＹＥＳ）、図１１のステップＣ１６に移り、電子番組表２０を参照し、現在録画中の番組の終了時刻を取得すると共に現在時刻を取得し、この番組終了時刻と現在時刻に基づいて残りの放送時間（未録画時間）を算出する。そして、電子番組表２０を参照して再放送番組を検索し（ステップＣ１７）、その有無をチェックし（ステップＣ１８）、再放送番組が存在していなければ、図１０のステップＣ１５に移り、現在の録画を終了させるが、再放送番組が検索された場合には、メッセージ画面を表示出力させる（ステップＣ１９）。このメッセージ画面には、再放送日時の表示と共に、再放送番組を録画予約するか否かを問い合わせる選択項目として、「１：再放送の録画予約をする」、「２：無視（予約しない）」が表示される。ここで、「２：無視」が選択されると（ステップＣ２０でＮＯ）、図１０のステップＣ１５に移り、現在の録画を終了させる。
【００６６】
また、「１：再放送の録画予約をする」が選択されると（ステップＣ２０でＹＥＳ）、次ぎのメッセージ画面に切り替え表示される（ステップＣ２１）。このメッセージ画面は、再放送番組をその開始から終了まで全て録画する予約（まるごと予約）を選択する項目と、現在の録画内容に継続してその続きを再放送番組から録画する予約（継続予約）を選択する項目を表示するもので、「１：まるごと予約」が選択された場合には（ステップＣ２２でＹＥＳ）、上述した図１０のステップＣ１４に移るが、「２：継続予約」が選択された場合には（ステップＣ２２でＮＯ）、再放送番組の継続録画開始時刻を算出する（ステップＣ２３）。すなわち、電子番組表２０から取得した「再放送番組の終了時刻」から上述のようにして算出した現在録画中の番組の「残り放送時間（未録画時間）」を減算することによって再放送番組の「継続録画開始時刻」を算出する。そして、継続録画開始時刻を予約日時として再放送番組の録画予約を行った後（ステップＣ２４）、図１０のステップＣ１５に移り、現在の録画を終了させる。
【００６７】
このようにして再放送番組の「まるごと予約」あるいは「継続予約」が行われている状態において、その予約日時に達すると、タイマ起動によって再度、このフローが開始され、その予約チャンネルを選局した後（ステップＣ１）、このチャンネルで放送されている番組の受信録画を開始する（ステップＣ２）。この場合、「まるごと予約」であれば、再放送番組はその開始時から録画されるが、「継続予約」の場合には、再放送番組の途中、つまり、上述のようにして算出した「継続録画開始時刻」からその続きが録画される。この場合、「継続録画開始時刻」の少し前（例えば、３秒前）から継続録画を開始するようにしている。
【００６８】
ここで、再放送番組の終了時刻となると（ステップＣ３でＹＥＳ）、その録画を終了させると共に、録画ファイルをクローズする（ステップＣ６）。そして、今回の録画は「継続予約」の録画であったかをチェックし（ステップＣ７）、「まるごと予約」の録画であれば（ステップＣ７でＮＯ）、このフローから抜けるが、「継続予約」の録画であれば、上述のようにして録画中断した番組の録画ファイル、つまり、再放送番組に対する本放送番組を録画した元の録画ファイルを検索し（ステップＣ８）、この本放送番組の録画ファイルと今回の再放送番組の録画ファイルとを結合する（ステップＣ９）。
【００６９】
図１３は、本放送番組の録画ファイルと今回の再放送番組の録画ファイルとを結合する様子を示した図である。この場合、本放送番組の録画ファイルと今回の再放送番組の録画ファイルとは、上述のように３秒間の重複部分（図中、斜線部分）が存在しているため、ＣＰＵ1は、各フレーム画像を照合して重複部分を特定し、一方の録画ファイルから重複部分を取り除いて両ファイルを結合することによって途切れ及び重複のない自然な繋がりとなる。この際、両ファイルの結合部分の少し前（例えば、３秒前）の位置に「チャプターマーク」を設定しておけば、結合後の録画ファイルの再生時には、この「チャプターマーク」までスキップすることができ、見終わった部分の重複再生を防ぐことが可能となる。
【００７０】
以上のように、この第２実施例においてＣＰＵ1は、テレビ放送番組を逐次録画している最中にその録画を中断する際には、この放送番組の後に放送予定されている後続番組として、その再放送番組を現在録画中の番組に代わる代替番組として電子番組表２０から検索し、再放送番組があれば、この再放送番組の録画予約を行うようにしたから、番組録画を中断したとしても、その再放送番組を自動録画が可能となり、視聴者に安心感を与えることができる。
【００７１】
この場合、二次電池１８の電池残量が少なくなって電池切れ間近となった場合には、つまり、テレビ放送番組の受信録画が困難となった場合に、この放送番組の受信録画を中断するようにしたから、放送番組の受信録画を電池残量の低下に伴って自動的に中断することができ、電池切れを未然に防ぐことが可能となる。また、再放送番組が検索された場合に、この再放送番組の録画予約に先立って、予約の要否を問い合わせる案内メッセージを表示出力するようにしたから、視聴者の意思を反映させることができる。
【００７２】
また、放送番組の録画を中断する際に、この中断時から番組終了時までの「残り放送時間（未録画時間）」と「再放送番組の終了時刻」から再放送番組の「継続録画開始時刻」を算出するようにしたから、録画中断した位置を基準として再放送番組の録画を開始することができる。この場合、中断前に録画されたファイルと予約録画されたファイルとを１つのファイルに結合するようにしたから、録画済み部分の再録画を防ぐことができ、消費電力上有利となるほか、録画中断に影響されず、番組内容の連続視聴が可能となる。
【００７３】
なお、上述した第２実施例においては、録画中断時から番組終了時までの「残り放送時間（未録画時間）」と「再放送番組の終了時刻」とから再放送番組の「継続録画開始時刻」を算出するようにしたが、録画開始時から中断時までの「録画済み時間」と「再放送番組の開始時刻」とから再放送番組の「継続録画開始時刻」を算出するようにしてもよい。
また、現在録画中の番組に代わる代替番組として、再放送番組に限らず、例えば、ダイジェスト番組、類似番組、関連番組を電子番組表２０から検索して予約録画するようにしてもよい。この場合、電子番組表２０内の「タイトル」、「コメント」欄を参照し、スポーツダイジェスト番組、スポーツニュース番組を特定したり、同一の歌手（俳優）などが登場する番組を特定したり、他局で異なる時間帯に放送される同一内容あるいは類似する内容の番組を特定すればよい。
【００７４】
この場合、電子番組表２０を検索した結果、他局番組を含め、例えば、例えば、同一局、スポーツダイジェスト番組、スポーツニュース番組のように、代替番組となる複数の番組が存在する場合には、この複数の番組の中から現在の電池残量で番組終了まで全て録画することが可能な最短番組を検索するようにしてもよい。また、代替番組となる複数の番組の「タイトル」を読み出して一覧表示させ、その中から任意に選択指定された番組を代替番組としてもよい。
【００７５】
また、コンピュータが読み取り可能なプログラムコードを有する記録媒体であって、電池を駆動源としてテレビ放送電波を受信して出力する機能、テレビ放送番組を逐次録画する機能と、この放送番組の録画を中断する際に、当該放送番組の後に放送予定されている後続番組として、その再放送番組、ダイジェスト番組、類似番組、関連番組のうち、少なくともその何れかの番組を現在録画中の番組に代わる代替番組として電子番組表から検索する機能と、代替番組が検索された場合に、この代替番組の録画予約を行う機能とを実現させるためのプログラムを記録したコンピュータが読み取り可能な記録媒体を提供するようにしてもよい。
【００７６】
また、上述した第1及び第２実施例のメッセージ画面としては、図１４に示すようなものであってもよい。図１４（Ａ）は、電池残量の低下によって放送番組をその終了まで視聴できず、その代替として、放送時間の短いスポーツニュースが「２時間後」にあり、その録画予約を行うかを問い合わせるメッセージ画面である。この場合、「２時間後」のように代替番組が放送されるまでの時間を算出表示するようにしてもよい。図１４（Ｂ）は、電池残量の低下によって放送番組をその終了まで録画できず、その代替として、放送時間の短い関連番組の録画予約を行うかを問い合わせるメッセージ画面である。なお、このメッセージ画面には「解説を見る」の項目が設けられており、この「解説を見る」のボタンを操作することで、電子番組表２０から「タイトル」、「コメント」などの詳細情報を読み出して案内表示するようにしてもよい。
その他、テレビ機能付きの携帯電話装置に限らず、例えば、テレビ機能付きのＰＤＡ、電子カメラ、電子腕時計、音楽再生機などの携帯端末装置であっても同様に適用可能であることはもちろんである。
【図面の簡単な説明】
【００７７】
【図１】携帯端末装置として適用した携帯電話装置の基本的な構成要素を示したブロック図。
【図２】折り畳み式の装置本体を開いた状態において、メイン表示部９にテレビ映像が表示されたテレビ画面の表示例を示した図。
【図３】電源投入に伴って実行開始される携帯電話装置の全体動作の概要を示したフローチャート。
【図４】図３に続く、フローチャート。
【図５】ユーザ操作によってテレビ機能の起動開始が指示されてからテレビ機能が起動されている間に実行されるＴＶ処理（図３のステップＡ５）を詳述するためのフローチャート。
【図６】図５に続くフローチャート。
【図７】図６に続くフローチャート。
【図８】電子番組表（ＥＰＧ）２０の内容を例示した図。
【図９】現在視聴中の番組をその最後まで視聴できない代わりに当該番組内容を録画するかをＹＥＳ／ＮＯ形式で問い合わせるためのメッセージ画面を示した図。
【図１０】第２実施例において、テレビ録画予約がある場合にその予約日時になった際のタイマ割り込みによってテレビ機能が自動起動された場合に実行開始される予約録画処理を示したフローチャート。
【図１１】図１０に続くフローチャート。
【図１２】電池切れ間近のために番組終了まで録画することができず、その代わりとして再放送番組を録画するか否かを問い合わせるメッセージ画面を示した図。
【図１３】本放送番組の録画ファイルと今回の再放送番組の録画ファイルとを結合する様子を示した図。
【図１４】（Ａ）、（Ｂ）は、各実施例の応用例として、電池残量の低下に伴って表示出力されるメッセージ画面を例示した図。
【符号の説明】
【００７８】
１  ＣＰＵ
２  記憶部
３  記録メディア
５  電話通信部
９  メイン表示部
１１  テレビ受信部
１２  ＴＶアンテナ
１３  内蔵スピーカ
１５  キー操作部
１７ 電源部
１８ 二次電池
１９ 充放電制御部
２０  電子番組表
２１ クレードルスタンド
【図１】
0004624199.tif 000002
【図２】
0004624199.tif 000003
【図３】
0004624199.tif 000004
【図４】
0004624199.tif 000005
【図５】
0004624199.tif 000006
【図６】
0004624199.tif 000007
【図７】
0004624199.tif 000008
【図８】
0004624199.tif 000009
【図９】
0004624199.tif 000010
【図１０】
0004624199.tif 000011
【図１１】
0004624199.tif 000012
【図１２】
0004624199.tif 000013
【図１３】
0004624199.tif 000014
【図１４】
0004624199.tif 000015